(57)【要約】【課題】本発明によれば、従来必要であった多数の冷却ホール構造を省略することができ、これにより加工固定中に必要であったセラミックコアが不要であり、結果的に加工時間及び加工コストを著しく減らすことができるガスタービンリングセグメントを提供する。【解決手段】本発明の実施形態に係るガスタービンリングセグメントは、一側面にメインキャビティの方向にインピンジメントターゲット面が形成され、他側面にホットサイド面が形成されたインピンジメントターゲット壁を含み、軸方向の中央部にメインキャビティが形成されたガスタービンリングセグメントにおいて、外部と内部とを連通させる冷却ホールが外周面に沿って一定間隔離隔して形成され、前記冷却ホールは軸方向の中央部に形成されたメインキャビティと連通する直線構造であることを構成の要旨とする。【選択図】図５
2018128017.tif 000002
【特許請求の範囲】
【請求項１】
軸線を中心に回転するローターと、該ローターを回転可能に覆うケーシングと、軸線を中心に環状をなし、前記ケーシングの内周側に設置される固定翼リングとを備えるガスタービンに円周方向に多数個に分割されるように装着されるガスタービンリングセグメントであって、
前記ガスタービンリングセグメントは、一側面にメインキャビティの方向にインピンジメントターゲット面（ｉｍｐｉｎｇｅｍｅｎｔ  ｔａｒｇｅｔ  ｓｕｒｆａｃｅ）が形成され、他側面にホットサイド面（ｈｏｔ  ｓｉｄｅ  ｓｕｒｆａｃｅ）が形成されたインピンジメントターゲット壁を含み、軸方向の中央部にメインキャビティが形成され、
外部と内部とを連通させる冷却ホールが外周面に沿って一定間隔離隔して形成され、
前記冷却ホールは軸方向の中央部に形成されたメインキャビティと連通している直線構造であり、
前記メインキャビティの内側面に設置され、軸方向に前記インピンジメントターゲット面を支持する構造の補強部を含む、ガスタービンリングセグメント。
【請求項２】
前記インピンジメントターゲット壁の厚さ（ｔ）は、前記ガスタービンリングセグメントの本体部の厚さ（Ｔ）に対して３０から５０％の厚さである、請求項１に記載のガスタービンリングセグメント。
【請求項３】
前記冷却ホールの中心軸と前記ホットサイド面との離隔距離（ｈ１）は、前記インピンジメントターゲット壁の厚さ（ｔ）から前記ガスタービンリングセグメントの本体部の厚さ（Ｔ）の範囲内にある、請求項１又は２に記載のガスタービンリングセグメント。
【請求項４】
前記冷却ホールの中心軸とホットサイド面との離隔距離（ｈ１）は、前記ガスタービンリングセグメントの本体部の厚さ（Ｔ）に対して６０から８０％の長さである、請求項３に記載のガスタービンリングセグメント。
【請求項５】
前記補強部の形成高さ（ｈ２）は、前記ガスタービンリングセグメントの本体部の厚さ（Ｔ）に対して１００から２００％の長さである、請求項１から４のいずれか一項に記載のガスタービンリングセグメント。
【請求項６】
前記補強部は、前記メインキャビティの内側面に円周方向に一定間隔離隔して２つ以上設置される、請求項１から５のいずれか一項に記載のガスタービンリングセグメント。
【請求項７】
前記補強部と前記メインキャビティの内側面とが互いに触れ合う隣接部には、所定の長さの半径を有するラウンド構造が形成されている、請求項１から６のいずれか一項に記載のガスタービンリングセグメント。
【請求項８】
前記冷却ホールは、内径の異なる冷却ホール同士が連通している構造である、請求項１から７のいずれか一項に記載のガスタービンリングセグメント。
【請求項９】
請求項１から８のいずれか一項に記載のガスタービンリングセグメントを含む、ガスタービン。
【請求項１０】
軸線を中心に回転するローターと、該ローターを回転可能に覆うケーシングと、軸線を中心に環状をなし、前記ケーシングの内周側に設置される固定翼リングとを備えるガスタービンに円周方向に多数個に分割されるように装着されるガスタービンリングセグメントであって、
前記ガスタービンリングセグメントは、一側面にメインキャビティの方向にインピンジメントターゲット面（ｉｍｐｉｎｇｅｍｅｎｔ  ｔａｒｇｅｔ  ｓｕｒｆａｃｅ）が形成され、他側面にホットサイド面（ｈｏｔ  ｓｉｄｅ  ｓｕｒｆａｃｅ）が形成されたインピンジメントターゲット壁を含み、軸方向の中央部にメインキャビティが形成され、
外部と内部とを連通させる冷却ホールが外周面に沿って一定間隔離隔して形成され、
前記冷却ホールは軸方向の中央部に形成されたメインキャビティと連通している直線構造であり、
前記冷却ホールは内径の異なる冷却ホール同士が連通している構造である、ガスタービンリングセグメント。
【請求項１１】
前記ガスタービンリングセグメントは、前記メインキャビティの内側面に設置され、軸方向にインピンジメントターゲット面を支持する構造の補強部を含み、
前記インピンジメントターゲット壁の厚さ（ｔ）は、前記ガスタービンリングセグメントの本体部の厚さ（Ｔ）に対して３０から５０％の厚さである、請求項１０に記載のガスタービンリングセグメント。
【請求項１２】
前記ガスタービンリングセグメントは、前記メインキャビティの内側面に設置され、軸方向に前記インピンジメントターゲット面を支持する構造の補強部を含み、
前記冷却ホールの中心軸と前記ホットサイド面との離隔距離（ｈ１）は、前記インピンジメントターゲット壁の厚さ（ｔ）から前記ガスタービンリングセグメントの本体部の厚さ（Ｔ）の範囲内にある、請求項１０又は１１に記載のガスタービンリングセグメント。
【請求項１３】
前記冷却ホールの中心軸とホットサイド面との離隔距離（ｈ１）は、前記ガスタービンリングセグメントの本体部の厚さ（Ｔ）に対して６０から８０％の長さである、請求項１２に記載のガスタービンリングセグメント。
【請求項１４】
前記ガスタービンリングセグメントは、前記メインキャビティの内側面に設置され、軸方向に前記インピンジメントターゲット面を支持する構造の補強部を含み、
前記補強部の形成高さ（ｈ２）は、前記ガスタービンリングセグメントの本体部の厚さ（Ｔ）に対して１００から２００％の長さである、請求項１０から１３のいずれか一項に記載のガスタービンリングセグメント。
【請求項１５】
前記ガスタービンリングセグメントは、前記メインキャビティの内側面に設置され、軸方向に前記インピンジメントターゲット面を支持する構造の補強部を含み、
前記補強部は、前記メインキャビティの内側面に円周方向に一定間隔離隔して２つ以上設置される、請求項１０から１４のいずれか一項に記載のガスタービンリングセグメント。
【請求項１６】
前記ガスタービンリングセグメントは、前記メインキャビティの内側面に設置され、軸方向に前記インピンジメントターゲット面を支持する構造の補強部を含み、
前記補強部と前記メインキャビティの内側面とが互いに触れ合う隣接部には、所定の長さの半径を有するラウンド構造が形成されている、請求項１０から１５のいずれか一項に記載のガスタービンリングセグメント。
【請求項１７】
軸線を中心に回転するローターと、該ローターを回転可能に覆うケーシングと、軸線を中心に環状をなし、前記ケーシングの内周側に設置される固定翼リングとを備えるガスタービンに円周方向に多数個に分割されるように装着されるガスタービンリングセグメントであって、
前記ガスタービンリングセグメントは、一側面にメインキャビティの方向にインピンジメントターゲット面（ｉｍｐｉｎｇｅｍｅｎｔ  ｔａｒｇｅｔ  ｓｕｒｆａｃｅ）が形成され、他側面にホットサイド面（ｈｏｔ  ｓｉｄｅ  ｓｕｒｆａｃｅ）が形成されたインピンジメントターゲット壁を含み、軸方向の中央部にメインキャビティが形成され、
外部と内部とを連通させる冷却ホールが外周面に沿って一定間隔離隔して形成され、
前記冷却ホールは軸方向の中央部に形成されたメインキャビティと連通している直線構造であり、
前記ガスタービンリングセグメントは、メインキャビティの内側面に設置され、軸方向にインピンジメントターゲット面を支持する構造の補強部を含み、
前記補強部は、前記メインキャビティの内側面に円周方向に一定間隔離隔して２つ以上設置される、ガスタービンリングセグメント。
【請求項１８】
前記補強部と前記メインキャビティの内側面とが互いに触れ合う隣接部には、所定の長さの半径を有するラウンド構造が形成されている、請求項１７に記載のガスタービンリングセグメント。
【請求項１９】
請求項１０から１８のいずれか一項に記載のガスタービンリングセグメントを含む、ガスタービン。
【発明の詳細な説明】
【技術分野】
【０００１】
本発明は、直線型冷却ホールを含むガスタービンリングセグメント及びこれを含むガスタービンに係り、さらに詳細には、軸方向の中央部に形成されたメインキャビティに連通した直線構造の冷却ホールを含むガスタービンリングセグメント及びこれを含むガスタービンに関する。
【背景技術】
【０００２】
一般に、ガスタービンは、図１に示すように、軸線を中心に回転するローターと、該ローターを回転可能に覆うケーシングと、軸線を中心に環状をなし、ケーシングの内周側に設置されている固定翼リングとを備えている。
【０００３】
このとき、図２に示すように、ガスタービンに設置される軸流圧縮機１は、組立性の観点などから、ケーシングが上ケーシング２５ｕと下ケーシング２５ｄに分割可能である。また、図３に示すように、固定翼リング１１も円周方向に複数のリングセグメントに分割可能である。
【０００４】
図４には従来技術に係るガスタービンリングセグメント（Ｇａｓ  ｔｕｒｂｉｎｅ  Ｒｉｎｇ  Ｓｅｇｍｅｎｔ）１０が示されている。従来技術に係るガスタービンリングセグメント１０の場合、形成位置及び延長角度の異なる多数の冷却ホール１１、１２、１３を備えている。
【０００５】
このような冷却ホール１１、１２、１３を介して冷媒が流動して冷却を行う。このとき、冷却ホール１１、１２、１３を介して流動する冷媒の流量を調節して冷却効率を制御することができる。
【０００６】
しかし、従来技術に係るガスタービンリングセグメント１０の冷却ホール１１、１２、１３は、互いに異なる構造で形成されている。
【０００７】
メインキャビティ（ｍａｉｎ  ｃａｖｉｔｙ）１７の方向に連通する第１冷却ホール１１と、外部に連通する第３冷却ホール１３とは、中間部位に形成された第２冷却ホール１２によって互いに連通する構造である。
【０００８】
このような構造の冷却ホール１１、１２、１３を加工するためには、セラミックコア（ｃｅｒａｍｉｃ  ｃｏｒｅ）が追加されなければならず、それぞれ互いに異なる加工作業が必要である。
【０００９】
また、このような構造の冷却ホール１１、１２、１３は、高温、高圧環境に晒されるので、非常に精密に加工されなければならない。
【００１０】
よって、従来技術に係るガスタービンリングセグメント１０の場合、冷却ホール１１、１２、１３の加工に多くの時間及び高い加工コストがかかるという問題点を持っている。
【００１１】
具体的に、図１に示すように、一側にインピンジメントターゲット面（ｉｍｐｉｎｇｅｍｅｎｔ  ｔａｒｇｅｔ  ｓｕｒｆａｃｅ）１５が形成され、他側にホットサイド面（ｈｏｔ  ｓｉｄｅ  ｓｕｒｆａｃｅ）１６が形成されたインピンジメントターゲット壁（ｉｍｐｉｎｇｅｍｅｎｔ  ｔａｒｇｅｔ  ｗａｌｌ）１４は、比較的厚く形成されており、冷却効果が低下するという問題点を持っている。
【００１２】
したがって、前述した従来技術に係る問題点を解決することが可能な構造を含むガスタービンリングセグメントに対する技術が求められている。
【発明の概要】
【発明が解決しようとする課題】
【００１３】
本発明の目的は、ガスタービンリングセグメントに形成された冷却ホールをさらに簡単に加工することができ、加工にかかる時間及びコストを節減することができる構造を含むガスタービンリングセグメント及びこれを含むガスタービンを提供することにある。
【課題を解決するための手段】
【００１４】
上記の目的を達成するための本発明の一態様によるガスタービンリングセグメントは、一側面にメインキャビティ（ｍａｉｎ  ｃａｖｉｔｙ）の方向にインピンジメントターゲット面（ｉｍｐｉｎｇｅｍｅｎｔ  ｔａｒｇｅｔ  ｓｕｒｆａｃｅ）が形成され、他側面にホットサイド面（ｈｏｔ  ｓｉｄｅ  ｓｕｒｆａｃｅ）が形成されたインピンジメントターゲット壁（ｉｍｐｉｎｇｅｍｅｎｔ  ｔａｒｇｅｔ  ｗａｌｌ）を含み、軸方向の中央部にメインキャビティ（ｍａｉｎ  ｃａｖｉｔｙ）が形成されたガスタービンリングセグメントにおいて、外部と内部とを連通させる冷却ホールが外周面に沿って一定間隔離隔して形成され、前記冷却ホールは、軸方向の中央部に形成されたメインキャビティと連通している直線構造であり得る。
【００１５】
本発明の一実施形態において、前記インピンジメントターゲット壁の厚さｔは、ガスタービンリングセグメント本体部の厚さＴに対して３０から５０％の厚さであり得る。
【００１６】
本発明の一実施形態において、前記冷却ホールの中心軸とホットサイド面との離隔距離ｈ１は、インピンジメントターゲット壁の厚さｔからガスタービンリングセグメント本体部の厚さＴの範囲内にあり得る。
【００１７】
また、前記冷却ホールの中心軸とホットサイド面との離隔距離ｈ１は、ガスタービンリングセグメント本体部の厚さＴに対して６０から８０％の長さであり得る。
【００１８】
本発明の一実施形態において、前記ガスタービンリングセグメントは、前記メインキャビティの内側面に設置され、軸方向にインピンジメントターゲット面を支持する構造の補強部をさらに含むことができる。
【００１９】
この場合、前記補強部の形成高さｈ２は、ガスタービンリングセグメント本体部の厚さＴに対して１００から２００％の長さであり得る。
【００２０】
また、前記補強部は、メインキャビティの内側面に円周方向に一定間隔離隔して２つ以上設置できる。
【００２１】
また、前記補強部とメインキャビティの内側面とが互いに触れ合う隣接部には、所定の長さの半径を有するラウンド構造が形成できる。
【００２２】
本発明の一実施形態において、前記冷却ホールは、内径の異なる冷却ホール同士が連通している構造であり得る。
【００２３】
また、本発明は、前記ガスタービンリングセグメントを含むガスタービンを提供することができる。
【発明の効果】
【００２４】
上述したように、本発明のガスタービンリングセグメントによれば、軸方向の中央部に形成されたメインキャビティに連通している直線構造の冷却ホールを備えることにより、従来必要であった多数の冷却ホール構造を省略することができ、これにより加工固定中に必要であったセラミックコア（ｃｅｒａｍｉｃ  ｃｏｒｅ）が不要であり、結果的に加工時間及び加工コストを著しく減らすことができるガスタービンリングセグメントを提供することができる。
【００２５】
また、本発明のガスタービンリングセグメントによれば、インピンジメントターゲット壁の厚さを特定の範囲に限定し、冷却ホールの中心軸の位置を特定の範囲に限定することにより、直線構造の冷却ホールの冷却効率を維持することができる安定的な位置に形成させることができる。
【００２６】
また、本発明のガスタービンリングセグメントによれば、メインキャビティの内側面に設置され、軸方向にインピンジメントターゲット面を支持する構造の補強部を備えることにより、直線構造の冷却ホールの位置を特定の位置に配置するために厚さを減少させたインピンジメントターゲット壁の構造的安定性を補強することができるので、さらに安定的な構造のガスタービンリングセグメントを提供することができる。
【００２７】
また、本発明のガスタービンリングセグメントによれば、メインキャビティの内側面に設置され、軸方向にインピンジメントターゲット面を支持する構造の補強部の形成高さを特定の範囲に限定することにより、直線構造の冷却ホールの位置を特定の位置に配置するために厚さを減少させたインピンジメントターゲット壁の構造的安定性を保障することができるので、さらに安定的な構造のガスタービンリングセグメントを提供することができる。
【００２８】
また、本発明のガスタービンリングセグメントによれば、補強部とメインキャビティの内側面とが互いに触れ合う隣接部には、所定の長さの半径を有するラウンド構造を形成させることにより、直線構造の冷却ホールの位置を特定の位置に配置するために厚さを減少させたインピンジメントターゲット壁の構造的安定性を補強することができるので、さらに安定的な構造のガスタービンリングセグメントを提供することができる。
【００２９】
また、本発明のガスタービンリングセグメントによれば、内径の異なる冷却ホール同士が連通している構造の冷却ホールを備えることにより、冷却ホールの内部に流動する冷媒の流量を制御することができるとともに熱伝達効率を極大化させることができる構造を含むガスタービンリングセグメントを提供することができる。
【００３０】
また、本発明のガスタービンによれば、特定の構造のガスタービンリングセグメントを備えることにより、加工時間及び加工コストを著しく減らすことができる構造のガスタービンを提供することができる。
【図面の簡単な説明】
【００３１】
【図１】従来技術に係るガスタービンを示す断面図である。
【図２】図１に示されたガスタービンの圧縮機部分の横断面図である。
【図３】図２に示されたリングセグメントを示す部分拡大図である。
【図４】従来技術に係るガスタービンリングセグメントを示す断面図である。
【図５】本発明の一実施形態に係るリングセグメントを示す断面図である。
【図６】図５のＡ部分の拡大図である。
【図７】本発明の別の実施形態に係るリングセグメントのＡ部分の拡大図である。
【図８】本発明の一実施形態に係るリングセグメントを示す斜視図である。
【発明を実施するための形態】
【００３２】
以下、図面を参照して本発明の好適な実施形態を詳細に説明する。これに先立ち、本明細書及び特許請求の範囲で使用された用語や単語は通常的かつ辞典的な意味に限定して解釈されてはならず、本発明の技術的思想に符合する意味と概念で解釈されるべきである。
【００３３】
本明細書全体において、ある部材が他の部材「上」に位置しているとするとき、これはある部材が他の部材に接している場合だけでなく、両部材の間に別の部材が介在する場合も含む。本明細書全体において、ある部分がある構成要素を「含む」とするとき、これは、特に反対される記載がない限り、他の構成要素を除外するのではなく、他の構成要素をさらに含むことができることを意味する。
【００３４】
図５には本発明の一実施形態に係るリングセグメントを示す断面図が示されており、図６には図４のＡ部分の拡大図が示されている。
【００３５】
これらの図を参照すると、本実施形態に係るガスタービンリングセグメント１００は、一側面にメインキャビティ（ｍａｉｎ  ｃａｖｉｔｙ）１０４の方向にインピンジメントターゲット面（ｉｍｐｉｎｇｅｍｅｎｔ  ｔａｒｇｅｔ  ｓｕｒｆａｃｅ）１０２が形成され、他側面にホットサイド面（ｈｏｔ  ｓｉｄｅ  ｓｕｒｆａｃｅ）１０３が形成されたインピンジメントターゲット壁（ｉｍｐｉｎｇｅｍｅｎｔ  ｔａｒｇｅｔ  ｗａｌｌ）１０１を含む構成であって、軸方向の中央部にメインキャビティ（ｍａｉｎ  ｃａｖｉｔｙ）１０４が形成されたガスタービンリングセグメント１００である。
【００３６】
本実施形態に係るガスタービンリングセグメント１００は、外部と内部とを連通させる冷却ホール１１０が外周面に沿って一定間隔離隔して形成された構造であって、冷却ホール１１０は、軸方向の中央部に形成されたメインキャビティ１０４と連通している直線構造である。
【００３７】
したがって、本実施形態に係るガスタービンリングセグメント１００によれば、特定の構造の冷却ホールを備えることにより、従来必要であった多数の冷却ホール構造を省略することができ、これにより加工固定中に必要であったセラミックコア（ｃｅｒａｍｉｃ  ｃｏｒｅ）が不要であり、結果的に加工時間及び加工コストを著しく減らすことができるガスタービンリングセグメントを提供することができる。
【００３８】
以下、図面を参照して、本実施形態に係るガスタービンリングセグメント１００を構成する各構成について詳細に説明する。
【００３９】
図５及び図６に示すように、本実施形態に係るガスタービンリングセグメント１００は、従来技術に係るインピンジメントターゲット壁に比べてさらに薄い厚さで形成されたので、このような構造を用いて直線構造の冷却ホール１１０を形成することができる。
【００４０】
具体的に、インピンジメントターゲット壁１０１の厚さｔは、直線構造の冷却ホール１１０が、外部と内部のメインキャビティ１０４とを連通させることができるようにする厚さであれば特に制限されるものではなく、好ましくは、ガスタービンリングセグメント本体部１２０の厚さＴに対して３０から５０％の厚さであり得る。
【００４１】
インピンジメントターゲット壁１０１の厚さｔをガスタービンリングセグメント本体部１２０の厚さＴに対して３０％未満の長さに設定する場合、インピンジメントターゲット壁１０１の厚さが過度に薄くなって構造的安定性を保障することができないため、好ましくない。
【００４２】
一方、インピンジメントターゲット壁１０１の厚さｔをガスタービンリングセグメント本体部１２０の厚さＴに対して５０％超過の長さに設定する場合、冷却ホール１１０が配置される空間が著しく減少し、これも好ましくない。
【００４３】
このとき、冷却ホール１１０の中心軸（ａ）とホットサイド面１０３との離隔距離ｈ１は、図５に示すように、インピンジメントターゲット壁の厚さｔからガスタービンリングセグメント本体部の厚さＴの範囲内にあるように設定されることが好ましい。
【００４４】
さらに具体的に、冷却ホール１１０の中心軸（ａ）とホットサイド面１０３との離隔距離ｈ１は、ガスタービンリングセグメント本体部１２０の厚さＴに対して６０から８０％の長さであることが好ましい。
【００４５】
冷却ホール１１０の中心軸（ａ）とホットサイド面１０３との離隔距離ｈ１を、ガスタービンリングセグメント本体部１２０の厚さＴに対して６０％未満の長さに設定する場合、冷却ホール１１０とインピンジメントターゲット面１５との離隔距離が著しく減少し、結果的に冷却効率が著しく低下するため、好ましくない。
【００４６】
一方、冷却ホール１１０の中心軸（ａ）とホットサイド面１０３との離隔距離ｈ１を、ガスタービンリングセグメント本体部１２０の厚さＴに対して８０％超過の長さに設定する場合、冷却ホール１１０の位置が過度に上方に片寄って配置され、結果的にこれも冷却効率が著しく低下するため、好ましくない。
【００４７】
前述したように、本実施形態に係るガスタービンリングセグメント１００は、直線構造の冷却ホール１１０を形成することができるようにインピンジメントターゲット壁１０１の厚さを、従来技術に係るインピンジメントターゲット壁の厚さに比べてさらに薄い厚さで形成されたので、構造的安定性を補強するために、図６に示すように、補強部１３０をさらに設置することができる。
【００４８】
具体的に、補強部１３０は、図６に示すように、メインキャビティ１０４の内側面に設置され、軸方向にインピンジメントターゲット面１０２を支持する構造であり得る。
【００４９】
このとき、補強部１３０の形成高さｈ２は、ガスタービンリングセグメント本体部１２０の厚さＴに対して１００から２００％の長さに設定されることが好ましい。
【００５０】
場合に応じて、補強部１３０の形成高さｈ２は、設計者の意図に応じて適宜変更可能である。
【００５１】
具体的に、補強部１３０の形成高さｈ２をガスタービンリングセグメント本体部１２０の厚さＴに対して１００％未満の長さに設定する場合、構造的安定性を補強するには不十分であって好ましくない。
【００５２】
これに対し、補強部１３０の形成高さｈ２をガスタービンリングセグメント本体部１２０の厚さＴに対して２００％超過の長さに設定する場合、構造的安定性を十分に補強することはできるが、他の部品との干渉を生じさせる可能性があって好ましくない。
【００５３】
場合に応じて、構造的安定性をさらに補強するために、補強部１３０とメインキャビティ１０４の内側面とが互いに触れ合う隣接部には、所定の長さの半径を有するラウンド構造１３１を形成することができる。
【００５４】
場合に応じて、図８に示すように、補強部１３０をメインキャビティ１０４の内側面に円周方向に一定間隔離隔して２つ以上設置することができる。
【００５５】
この場合、構造的安定性をさらに確保することができる。
【００５６】
図７には本発明の別の実施形態に係るリングセグメントのＡ部分の拡大図が示されている。
【００５７】
本実施形態に係るガスタービンリングセグメント１００の冷却ホール１１０は、内径の異なる冷却ホール１１１、１１２同士が連通している構造であり得る。
【００５８】
この場合、内径の小さい冷却ホール１１１を用いて冷媒流量を制御することができ、内径の大きい冷却ホール１１２を用いて熱伝達効率を向上させることができる。
【００５９】
具体的に、内径の大きい冷却ホール１１２の内部は、内径の小さい冷却ホール１１１に比べて、冷媒と接触しうる表面積が広いので、結果的に冷却効率を向上させることができる。このとき、内径の大きい冷却ホール１１２の内側面に凹凸構造をさらに形成して冷却効率を一層向上させることができる。
【００６０】
以上で説明したように、本発明のガスタービンリングセグメント１００によれば、軸方向の中央部に形成されたメインキャビティ１０４と連通している直線構造の冷却ホール１１０を備えることにより、従来必要であった多数の冷却ホール構造（図４の１１、１２、１３）を省略することができ、これにより加工固定中に必要であったセラミックコア（ｃｅｒａｍｉｃ  ｃｏｒｅ）が不要であり、結果的に加工時間及び加工コストを著しく減らすことができるガスタービンリングセグメントを提供することができる。
【００６１】
また、本発明のガスタービンリングセグメント１００によれば、インピンジメントターゲット壁１０１の厚さを特定の範囲に限定し、冷却ホール１１０の中心軸（ａ）の位置を特定の範囲に限定することにより、直線構造の冷却ホール１１０の冷却効率を維持することができる安定的な位置に形成させることができる。
【００６２】
また、本発明のガスタービンリングセグメント１００によれば、メインキャビティ１０４の内側面に設置され、軸方向にインピンジメントターゲット面１０２を支持する構造の補強部１３０を備えることにより、直線構造の冷却ホール１１０の位置を特定の位置に配置するために厚さを減少させたインピンジメントターゲット壁１０１の構造的安定性を補強することができるので、さらに安定的な構造のガスタービンリングセグメント１００を提供することができる。
【００６３】
また、本発明のガスタービンリングセグメント１００によれば、メインキャビティ１０４の内側面に設置され、軸方向にインピンジメントターゲット面１０２を支持する構造の補強部１３０の形成高さを特定の範囲に限定することにより、直線構造の冷却ホール１１０の位置を特定の位置に配置するために厚さを減少させたインピンジメントターゲット壁１０１の構造的安定性を補強することができるので、さらに安定的な構造のガスタービンリングセグメント１００を提供することができる。
【００６４】
また、本発明のガスタービンリングセグメント１００によれば、補強部１３０とメインキャビティ１０４の内側面とが互いに触れ合う隣接部には、所定の長さの半径を有するラウンド構造１３１を形成させることにより、直線構造の冷却ホール１１０の位置を特定の位置に配置するために厚さを減少させたインピンジメントターゲット壁１０１の構造的安定性を保障することができるので、さらに安定的な構造のガスタービンリングセグメント１００を提供することができる。
【００６５】
また、本発明のガスタービンリングセグメント１００によれば、内径の異なる冷却ホール１１１、１１２同士が連通している構造の冷却ホール１１０を備えることにより、冷却ホール１１０の内部に流動する冷媒の流量を制御することができるとともに熱伝達効率を極大化させることができる構造を含むガスタービンリングセグメントを提供することができる。
【００６６】
また、本発明のガスタービンによれば、特定の構造のガスタービンリングセグメント１００を備えることにより、加工時間及び加工コストを著しく減らすことができる構造のガスタービンを提供することができる。
【００６７】
以上、本発明の詳細な説明では、それによる特別な実施形態についてのみ記述した。ところが、本発明は、詳細な説明で言及される特別な形態に限定されるものではないと理解されるべきであり、むしろ添付された特許請求の範囲によって定義される本発明の精神と範囲内にあるすべての変形物、均等物及び代替物を含むものと理解されるべきである。
【００６８】
すなわち、本発明は、上述した特定の実施形態及び説明に限定されず、特許請求の範囲で請求する本発明の要旨を逸脱することなく、本発明の属する技術分野における通常の知識を有する者であれば誰でも様々な変形実施が可能であり、それらの変形実施も本発明の保護範囲内に属する。
【符号の説明】
【００６９】
１０    従来技術に係るガスタービンリングセグメント
１１    第１冷却ホール
１２    第２冷却ホール
１３    第３冷却ホール
１４    インピンジメントターゲット壁
１５    インピンジメントターゲット面
１６    ホットサイド面
１７    メインキャビティ
１００    ガスタービンリングセグメント
１０１    インピンジメントターゲット壁
１０２    インピンジメントターゲット面
１０３    ホットサイド面
１０４    メインキャビティ
１１０    冷却ホール
１１１    冷却ホール
１１２    冷却ホール
１２０    本体部
１３０    補強部
１３１    ラウンド構造
Ａ    冷却ホールの中心軸
ｈ１    冷却ホールの中心軸とホットサイド面との離隔距離
ｈ２    補強部の形成高さ
Ｔ    本体部の厚さ
ｔ    インピンジメントターゲット壁の厚さ
【図１】
2018128017.tif 000003
【図２】
2018128017.tif 000004
【図３】
2018128017.tif 000005
【図４】
2018128017.tif 000006
【図５】
2018128017.tif 000007
【図６】
2018128017.tif 000008
【図７】
2018128017.tif 000009
【図８】
2018128017.tif 000010